(57)【要約】【課題】  何れの受信機でも異なる方式の任意の放送チャンネルを受信でき、また、その選局も簡単に行えるようにする。【解決手段】  第１及び第２のミキサ１３、１６からそれぞれ出力される第１及び第２の放送チャンネル信号の中から１つの放送チャンネル信号を選択して第１の所定帯域よりも狭帯域の第２の所定帯域内の第１の周波数に変換する複数の第３のミキサ４１と、第１及び第２のミキサ１３、１６からそれぞれ出力される第１及び第２の放送チャンネル信号の中の１つの放送チャンネル信号を選択して第２の所定帯域内の第２の周波数に変換する複数の第４のミキサ４２とを設け、第３のミキサ４１から出力される１つの放送チャンネル信号と第４のミキサ４２から出力される１つの放送チャンネル信号とをそれぞれ対応して混合し、混合された各放送チャンネル信号をそれぞれ出力端子から出力した。【選択図】        図１
2006148337.tif 000002
【特許請求の範囲】
【請求項１】
衛星から送信された複数の第１の放送チャンネル信号を第１の所定帯域内に群変換する第１のミキサと、前記衛星から送信された複数の第２の放送チャンネル信号を前記第１の所定帯域内に群変換する第２のミキサとを備え、前記第１のミキサから出力される前記第１の放送チャンネル信号又は前記第２のミキサから出力される前記第２の放送チャンネル信号の中から１つの放送チャンネル信号を選択して前記第１の所定帯域よりも狭帯域の第２の所定帯域内の第１の周波数に変換する複数の第３のミキサと、前記第１のミキサから出力される前記第１の放送チャンネル信号又は前記第２のミキサから出力される前記第２の放送チャンネル信号の中から１つの放送チャンネル信号を選択して前記第２の所定帯域内の第２の周波数に変換する複数の第４のミキサとを設け、前記第３のミキサのそれぞれから出力される１つの放送チャンネル信号と前記第４のミキサのそれぞれから出力される１つの放送チャンネル信号とをそれぞれ対応して混合し、混合された各放送チャンネル信号をそれぞれ複数の出力端子から出力したことを特徴とする衛星放送受信用周波数変換器。
【請求項２】
複数の分配出力端を有する第１の分配器を前記第１のミキサの出力側に設けると共に、複数の分配出力端を有する第２の分配器を前記第２のミキサの出力側に設け、前記第１の分配器の各分配出力端と前記第２の分配器の各分配出力端とをそれぞれ対に対応させると共に、対応した前記一対の分配出力端と一対の前記第３のミキサ及び前記第４のミキサとの間にそれぞれ切替手段を設けたことを特徴とする請求項１に記載の衛星放送受信用周波数変換器
【発明の詳細な説明】
【技術分野】
【０００１】
本発明は、衛星放送受信用周波数変換器に関する。
【背景技術】
【０００２】
図２を参照して従来の衛星放送受信用周波数変換器（以下、ＬＮＢとする）を説明する。ＬＮＢ８は１１９°衛星より送信される左旋偏波信号及び右旋偏波信号（１２．２ＧＨｚ〜１２．７ＧＨｚ）を受け、各偏波信号を低雑音増幅するＬＮＡ２２Ａと、１１０°衛星より送信される左旋偏波信号及び右旋偏波信号（１２．２ＧＨｚ〜１２．７ＧＨｚ）を受け、各偏波信号を低雑音増幅するＬＮＡ２２Ｂと、ＬＮＡ２２Ａに接続され、低雑音増幅された左旋偏波信号および右旋偏波信号よりそれぞれイメージ信号を除去するＢＰＦ２８Ａおよび２８ｂと、ＬＮＡ２２Ｂに接続され、低雑音増幅された左旋偏波信号および右旋偏波信号をよりそれぞれイメージ信号を除去するＢＰＦ２８Ｃおよび２８Ｄと、１１０２５ＧＨｚの正弦波を発生する局部発振器２６と、局部発振器２６に接続されたバッファ増幅器４４Ａおよび４４Ｂとを含む。
【０００３】
ＬＮＢ８はさらに、ＢＰＦ２８Ａおよびバッファ増幅器４４Ａに接続され、ＢＰＦ２８Ａの出力にバッファ増幅器４４Ａの出力を混合し、ＩＦ信号を出力するミキサー３０Ａと、ＢＰＦ２８Ｂおよびバッファ増幅器４４Ａの出力を混合し、ＩＦ信号を出力するミキサー３０Ｂと、ＢＰＦ２８Ｃおよびバッファ増幅器４４Ｂに接続され、ＢＰＦ２８Ｃの出力にバッファ増幅器４４Ｂの出力を混合し、ＩＦ信号を出力するミキサー３０Ｃと、ＢＰＦ２８Ｄおよびバッファ増幅器４４Ｂの出力を混合し、ＩＦ信号を出力するミキサー３０ＤＢとを含む。ＩＦ信号の周波数範囲は９５０ＭＨｚ〜１４５０ＭＨｚであり、帯域幅は各偏波信号と同じ５００ＭＨｚである。
【０００４】
ＬＮＢ８はさらに、ミキサー３０Ａ〜３０Ｄに接続され、ミキサー３０Ａ〜３０Ｄより出力されるＩＦ信号を選択し、２つの出力ポートから出力する４×２ＩＦスイッチＩＣ（集積回路）３２Ａと、４×２ＩＦスイッチＩＣ３２Ａの２つの出力ポートにそれぞれ接続されたＩＦ増幅器３４Ａおよび３４Ｂと、ＩＦ増幅器３４Ａおよび３４Ｂの出力にそれぞれ接続された低周波ノイズカットのためのキャパシタ３５Ａおよびキャパシタ３５Ｂとを含む。
【０００５】
キャパシタ３５Ａおよび５Ｂには、それぞれＩＦ信号の出力ポートＡ及びＢが接続されており、出力ポートＡおよびＢの先には、図示しない受信機（セットトップボックス）がそれぞれ接続されている。以上の構成によって、受信された１．２ＧＨｚ〜１２．７ＧＨｚの各偏波信号は、ミキサー３０Ａ〜３０Ｄによって９５０ＭＨｚ〜１４５０ＭＨｚのＩＦ信号に群変換されて各出力ポートＡ、Ｂから出力される（例えば、特許文献１参照。）。
【０００６】
【特許文献１】特開２００１−１６８７５１号公報（図３）
【発明の開示】
【発明が解決しようとする課題】
【０００７】
従来の衛星放送受信用周波数変換器においては、各出力ポートから出力されるＩＦ信号は、左旋偏波信号または右旋偏波信号のみであり、同じ出力ポートに複数の受信機が接続された場合、互いに偏波方式の異なる放送を同時に受信することができない。また、ＩＦの帯域は衛星の放送帯域と同じく広いままであるので、受信すべきＩＦ信号を選局するための受信機側の局部発振器を広い発振周波数範囲で動作させることが困難である。
【０００８】
本発明は、同一の出力ポートに複数の受信機が接続された場合に、何れの受信機でも異なる方式の任意の放送チャンネルを受信でき、また、その選局も簡単に行えるようにすることを目的とする。
【課題を解決するための手段】
【０００９】
上記課題に対して、本発明の第１の解決手段は、衛星から送信された複数の第１の放送チャンネル信号を第１の所定帯域内に群変換する第１のミキサと、前記衛星から送信された複数の第２の放送チャンネル信号を前記第１の所定帯域内に群変換する第２のミキサとを備え、前記第１のミキサから出力される前記第１の放送チャンネル信号又は前記第２のミキサから出力される前記第２の放送チャンネル信号の中から１つの放送チャンネル信号を選択して前記第１の所定帯域よりも狭帯域の第２の所定帯域内の第１の周波数に変換する複数の第３のミキサと、前記第１のミキサから出力される前記第１の放送チャンネル信号又は前記第２のミキサから出力される前記第２の放送チャンネル信号の中から１つの放送チャンネル信号を選択して前記第２の所定帯域内の第２の周波数に変換する複数の第４のミキサとを設け、前記第３のミキサのそれぞれから出力される１つの放送チャンネル信号と前記第４のミキサのそれぞれから出力される１つの放送チャンネル信号とをそれぞれ対応して混合し、混合された各放送チャンネル信号をそれぞれ複数の出力端子から出力した。
【００１０】
また、第２の解決手段として、複数の分配出力端を有する第１の分配器を前記第１のミキサの出力側に設けると共に、複数の分配出力端を有する第２の分配器を前記第２のミキサの出力側に設け、前記第１の分配器の各分配出力端と前記第２の分配器の各分配出力端とをそれぞれ対に対応させると共に、対応した前記一対の分配出力端と一対の前記第３のミキサ及び前記第４のミキサとの間にそれぞれ切替手段を設けた。
【発明の効果】
【００１１】
第１の解決手段によれば、第１のミキサから出力される第１の放送チャンネル信号又は第２のミキサから出力される第２の放送チャンネル信号の中から１つの放送チャンネル信号を選択して第１の所定帯域よりも狭帯域の第２の所定帯域内の第１の周波数に変換する複数の第３のミキサと、第１のミキサから出力される第１の放送チャンネル信号又は第２のミキサから出力される第２の放送チャンネル信号の中から１つの放送チャンネル信号を選択して第２の所定帯域内の第２の周波数に変換する複数の第４のミキサとを設け、第３のミキサのそれぞれから出力される１つの放送チャンネル信号と第４のミキサのそれぞれから出力される１つの放送チャンネル信号とをそれぞれ対応して混合し、混合された各放送チャンネル信号をそれぞれ複数の出力端子から出力したので、各出力端子には選択された２つの放送チャンネル信号が出力され、これを受信機によって選局することで簡単に受信できる。また、出力される放送チャンネル信号は狭い帯域内に配列されるので、第３及び第４のミキサに供給する局部発振信号の周波数範囲が狭くなり、発振器も簡単な構成になる。
【００１２】
また、第２の解決手段によれば、複数の分配出力端を有する第１の分配器を第１のミキサの出力側に設けると共に、複数の分配出力端を有する第２の分配器を第２のミキサの出力側に設け、第１の分配器の各分配出力端と第２の分配器の各分配出力端とをそれぞれ対に対応させると共に、対応した一対の分配出力端と一対の第３のミキサ及び第４のミキサとの間にそれぞれ切替手段を設けたので、第１のミキサと第２のミキサとにはそれぞれ第１の放送チャンネル信号又は第２の放送信号とを選択して供給できる。
【発明を実施するための最良の形態】
【００１３】
図１を参照して本発明の衛星放送受信用周波数変換器を説明する。衛星から送信された複数の第１の放送チャンネル信号（例えば、水平偏波信号Ｈ）は第１の低雑音増幅器１１、第１のバンドパスフィルタ１２を介して第１のミキサ１３に入力される。また、衛星から送信された複数の第２の放送チャンネル信号（例えば、垂直偏波信号Ｖ）は第２の低雑音増幅器１４、第２のバンドパスフィルタ１５を介して第２のミキサ１６に入力される。第１の放送チャンネル信号及び第２の放送チャンネル信号は、１０．７ＧＨｚ〜１２．７５ＧＨｚの帯域内に配列されている。
【００１４】
第１のミキサ１３及び第２のミキサ１６には第１発振器１７から局部発振信号（周波数は固定）が供給される。これによって、第１の放送チャンネル信号と第２の放送チャンネル信号とは第１の所定帯域（例えば、０．５ＧＨｚ〜２．５５ＧＨｚ）内に群変換される。
【００１５】
第１のミキサ１３の出力側には複数の分配出力端を有する第１の分配器（例えば、２分配器）１８が接続され、第２のミキサ１６の出力側にも複数の分配出力端を有する第２の分配器（例えば、２分配器）１９が接続される。従って、第１の分配器１８の各分配出力端には第１のミキサ１３によって群変換された複数の第１の放送チャンネル信号が出力され、第２の分配器１９の各分配出力端には第２のミキサ１６によって群変換された複数の第２の放送チャンネル信号が出力される。
【００１６】
第１の分配器１８の１つの分配出力端と第２の分配器１９の１つの分配出力端とがそれぞれ対となり、対となった分配出力端にはそれぞれ２×２の切替手段４０（４０ａ、４０ｂ）が接続される。切替手段４０ａ、４０ｂは同一構成を有し、その詳細は図示の通り、２つの単極双投形のスイッチ回路ＳＷ１、ＳＷ２で構成される。
【００１７】
各スイッチ回路ＳＷ１の出力側にはそれぞれ第３のミキサ４１（４１ａ、４１ｂ）が接続され、各スイッチ回路ＳＷ２の出力側にはそれぞれ第４のミキサ４２（４２ａ、４２ｂ）が接続される。この構成によって、各第３のミキサ４１ａ、４１ｂにはそれぞれ第１のミキサ１３からの群変換された第１の放送チャンネル信号又は第２のミキサ１６からの群変換された第２の放送チャンネル信号の何れかが選択されて入力される。同様に、各第４のミキサ４２ａ、４２ｂにもそれぞれ第１のミキサ１３からの群変換された第１の放送チャンネル信号又は第２のミキサ１６からの群変換された第２の放送チャンネル信号の何れかが選択されて入力される。
【００１８】
第１のミキサ４１ａ、４１ｂにはそれぞれ第２発振器４３、４４から局部発振信号が供給され、第２のミキサ４２ａ、４２ｂにはそれぞれ第２発振器４５、４６から局部発振信号が供給される。
【００１９】
第１のミキサ４１ａ、４１ｂは、スイッチ回路ＳＷ１によって選択された第１の放送チャンネル信号又は第２の放送チャンネル信号の何れかの中から任意の１つの放送チャンネル信号を選択して第２の所定帯域（例えば、１．４ＧＨｚ〜１．７５ＧＨｚ）内の第１の周波数（例えば、中心周波数で１．５ＧＨｚ）に周波数変換する。また、第２のミキサ４２ａ、４２ｂは、スイッチ回路ＳＷ２によって選択された第１の放送チャンネル信号又は第２の放送チャンネル信号の何れかの中から任意の１つの放送チャンネル信号を選択して第２の所定帯域内の第２の周波数（例えば、中心周波数で１．６５ＧＨｚ）に周波数変換する。第２の所定帯域は上記の例示でも明らかなように、第１の所定帯域よりも狭いので、各第２発振器４３〜４６の発振周波数範囲は１．９ＧＨｚ〜４．３ＧＨｚでよい。従って各第２発振器４３〜４６の発振周波数範囲は狭くてもよい。
【００２０】
第３のミキサ４１のそれぞれから出力される１つの放送チャンネル信号と第４のミキサ４２のそれぞれから出力される１つの放送チャンネル信号とはそれぞれバンドパスフィルタ４７（４７ａ、４７ｂ）、４８（４８ａ、４８ｂ）を介して混合される。
【００２１】
すなわち、第３のミキサ４１ａから出力された１つの放送チャンネル信号と第４のミキサ４２ａから出力された１つの放送チャンネル信号とがそれぞれバンドパスフィルタ４７ａ、４８ａを介して第１の混合器４９によって混合され、第１の出力端子５０に出力される。また、第３のミキサ４１ｂから出力された１つの放送チャンネル信号と第４のミキサ４２ｂから出力された１つの放送チャンネル信号とがそれぞれバンドパスフィルタ４７ｂ、４８ｂを介して第２の混合器５１によって混合され、第２の出力端子５２に出力される。
【００２２】
各出力端子５０、５２には受信機（図示せず）が接続され、受信機からは切替手段４０の各スイッチ回路ＳＷ１、ＳＷ２を切り替えるための制御信号と各第２発振器４３〜４６の発振周波数を制御する電圧とが供給される。
【図面の簡単な説明】
【００２３】
【図１】本発明の衛星放送受信用周波数変換器の構成を示す回路図である。
【図２】従来の衛星放送受信用周波数変換器の構成を示す回路図である。
【符号の説明】
【００２４】
１１：第１の低雑音増幅器
１２：第１のバンドパスフィルタ
１３：第１のミキサ
１４：第２の低雑音増幅器
１５：第２のバンドパスフィルタ
１６：第２のミキサ
１７：第１発振器
１８：第１の分配器
１９：第２の分配器
４０：切替手段
４１：第３のミキサ
４２：第４のミキサ
４３〜４６：第２発振器
４７、４８：バンドパスフィルタ
４９：第１の混合器
５０：第１の出力端子
５１：第２の混合器
５２：第２の出力端子
【図１】
2006148337.tif 000003
【図２】
2006148337.tif 000004